(57)【要約】【課題】取り扱いが容易で、作業者の肉体的負担を軽減することができ、ちり周りの均し作業を効率良く行うことができるちり鏝を提供する。【解決手段】ちり鏝１０は、平面視形状が角丸四角形の鏝板材１と、鏝板材１の上面１ａに固着された補強部材２に連結手段３を介して取り付けられた柄部材４と、を備えている。矩形平板状の補強部材２は、鏝板材１の中央部分に鏝板材１の長さＬ方向に沿って固着されている。ちり鏝１０においては、鏝板材１の長さＬを３５０ｍｍとし、幅Ｗを１３０ｍｍとし、厚さＴを０．５ｍｍとし、また、柄部材４の長さを１５００ｍｍとしている。【選択図】図１
2020159108.tif 000002
【特許請求の範囲】
【請求項１】
長さが１５０ｍｍ〜５００ｍｍであり、幅が１００ｍｍ〜１５０ｍｍであり、厚さが０．３ｍｍ〜０．５ｍｍである鏝板材と、前記鏝板材の上面に連結手段を介して取り付けられた柄部材と、を備えたちり鏝。
【請求項２】
長さが３００ｍｍ〜４５０ｍｍであり、幅が１５０ｍｍ〜４００ｍｍであり、厚さが１０ｍｍ〜４０ｍｍである鏝板材と、前記鏝板材の上面に連結手段を介して取り付けられた柄部材と、を備えたちり鏝。
【請求項３】
前記柄部材の長さが１０００ｍｍ〜２０００ｍｍである請求項１又は２記載のちり鏝。
【請求項４】
前記連結手段が、前記鏝板材に対する前記柄部材の取り付け姿勢を変更する角度調節機構を有する請求項１〜３の何れかの項に記載のちり鏝。
【請求項５】
前記鏝板材の対向する少なくとも一対の辺縁部が凸曲面形状をなしている請求項２記載のちり鏝。
【請求項６】
前記鏝板材の下面に複数の凹状部を散在させた請求項２記載のちり鏝。
【発明の詳細な説明】
【技術分野】
【０００１】
本発明は、固化前のコンクリート床面の周縁部分の均し作業、所謂、ちり周りの均し作業に使用するちり鏝に関する。
【背景技術】
【０００２】
コンクリート建築物やコンクリート構造物の床面の施工工事において、コンクリート床面Ｆの周縁部Ｆ１の均し作業、所謂、ちり周りの均し作業を行う場合、従来、図５に示すように、固化前のコンクリート床面Ｆにおいて、熟練した技能を有する作業者Ｗが腰を曲げた姿勢をとるとともに、片手に持った左官鏝１００を前後左右に動かしながら作業を行っている。
【０００３】
一方、本発明に関連する従来技術として、例えば、特許文献１に記載された「コンクリート床面仕上げ均し鏝」や、特許文献２に記載された「長柄用具」などがある。
【先行技術文献】
【特許文献】
【０００４】
【特許文献１】登録実用新案第３１０９３５５号公報
【特許文献２】特開２００７−９２３７６号公報
【発明の概要】
【発明が解決しようとする課題】
【０００５】
図５に示すように、従来のちり周りの均し作業においては、作業者Ｗは腰を曲げた姿勢を保ったまま、コンクリート床面Ｆの周縁部Ｆ１に沿って長時間にわたって左官鏝１００を前後左右に動かし続けなければならないので、肉体的負担が大である。特に、大規模工場などの広大な面積を有するコンクリート床面を施工する場合、その周縁部分の長さは長大であるため、多数の作業者Ｗが長時間にわたって作業を行う必要があり、それぞれの作業者Ｗの肉体的負担も多大となり、作業効率も悪い。
【０００６】
また、図５に示すような、左官鏝１００を使用した手作業による均し作業は、熟練した技能を有する作業者Ｗでなければ遂行することができないので、熟練技能者が不足状態にある近年においては、人手不足に起因する工期の遅延を招いている。
【０００７】
一方、特許文献に記載された「コンクリート床面仕上げ均し鏝」並びに特許文献２に記載された「長柄用具」は、比較的長い柄（長柄）を有しているので、一般的なコンクリート床面の均し作業においては作業者の労力軽減を図ることができるが、ちり周りの均し作業には不向きであり、良好な均し作業を行うことができない。
【０００８】
そこで、本発明が解決しようとする課題は、取り扱いが容易で、作業者の肉体的負担を軽減することができ、ちり周りの均し作業を効率良く行うことができるちり鏝を提供することにある。
【課題を解決するための手段】
【０００９】
本発明に係る第一のちり鏝は、長さが１５０ｍｍ〜５００ｍｍであり、幅が１００ｍｍ〜１５０ｍｍであり、厚さが０．３ｍｍ〜０．５ｍｍである鏝板材と、前記鏝板材の上面に連結手段を介して取り付けられた柄部材と、を備えたことを特徴とする。
【００１０】
本発明に係る第二のちり鏝は、長さが３００ｍｍ〜４５０ｍｍであり、幅が１５０ｍｍ〜４００ｍｍであり、厚さが１０ｍｍ〜４０ｍｍである鏝板材と、前記鏝板材の上面に連結手段を介して取り付けられた柄部材と、を備えたことを特徴とする。
【００１１】
前記第一、第二のちり鏝においては、前記柄部材の長さが１０００ｍｍ〜２０００ｍｍであることが望ましい。
【００１２】
前記第一、第二のちり鏝においては、前記連結手段が、前記鏝板材に対する前記柄部材の取り付け姿勢を変更する角度調節機構を有することが望ましい。
【００１３】
前記第二のちり鏝においては、前記鏝板材の対向する少なくとも一対の辺縁部が凸曲面形状をなしていることが望ましい。
【００１４】
前記第二のちり鏝においては、前記鏝板材の下面に、複数の凹状部を散在させることができる。
【発明の効果】
【００１５】
本発明により、取り扱いが容易で、作業者の肉体的負担を軽減することができ、ちり周りの均し作業を効率良く行うことができるちり鏝を提供することができる。
【図面の簡単な説明】
【００１６】
【図１】本発明の第一実施形態であるちり鏝を示す一部省略斜視図である。
【図２】図１に示すちり鏝を構成する鏝板材付近の一部省略拡大図である。
【図３】本発明の第二実施形態であるちり鏝を示す一部省略斜視図である。
【図４】図３に示すちり鏝を構成する鏝板材の底面図である。
【図５】従来のちり周りの均し作業を示す一部省略斜視図である。
【発明を実施するための形態】
【００１７】
以下、図１〜図４に基づいて、本発明の第一並びに第二実施形態であるちり鏝１０，２０について説明する。
【００１８】
初めに、図１，図２に基づいて、本発明の第一実施形態であるちり鏝１０について説明する。図１，図２に示すように、ちり鏝１０は、平面視形状が角丸四角形の鏝板材１と、鏝板材１の上面１ａに固着された補強部材２に連結手段３を介して取り付けられた柄部材４と、を備えている。矩形平板状の補強部材２は、鏝板材１の中央部分に鏝板材１の長さＬ方向に沿って固着されている。
【００１９】
連結手段３は、補強部材２の中央部分に固定された台座部３ａと、台座部３ａ上にネジＮ１を介して一方の端部が着脱可能に取り付けられた回動部材３ｂと、回動部材３ｂの他方の端部にネジＮ２を介して着脱可能に取り付けられた起伏部材３ｃと、を備えている。起伏部材３ｃの基端部３ｄには、柄部材４の先端部が連結筒５及びネジＮ３を介して着脱可能に連結されている。
【００２０】
ネジＮ１を緩めれば回動部材３ｂは台座部３ａの周りを回動可能であり、ネジＮ２を緩めれば起伏部材３ｃはネジＮ２を中心に起伏可能であるため、起伏部材３ｃに連結された柄部材４は、連結手段３の周りにおいて回動可能、起伏可能である。即ち、連結手段３は、鏝板材１に対する柄部材４の取り付け姿勢を変更する角度調節機構を有している。
【００２１】
図２に示すように、ちり鏝１０においては、鏝板材１の長さＬを３５０ｍｍとし、幅Ｗを１３０ｍｍとし、厚さＴを０．５ｍｍとし、また、柄部材４の長さを１５００ｍｍとしている。鏝板材１の材質は、一般的な左官鏝と同様の金属板（例えば、鋼板など）が好適であるが、これに限定するものではない。
【００２２】
ちり鏝１０の使い方は限定しないが、例えば、図１に示すように、固化前のコンクリート床面Ｆの周縁部Ｆ１に持ち込んだちり鏝１０の鏝板材１の下面（上面１ａの反対面）をコンクリート床面Ｆ上に当接させ、作業者（図示せず）が柄部材４を手で掴んで鏝板材１をコンクリート床面Ｆに沿って前後左右に動かせば、ちり周り（周縁部Ｆ１）の均し作業を行うことができる。
【００２３】
ちり鏝１０の柄部材４の長さは１２００ｍｍであるため、作業者は、自分の身長に応じて、ちり鏝１０の柄部材４の適切な位置を手で掴むことにより、起立姿勢で均し作業を行うことが可能であり、作業者の肉体的負担を軽減することができる。また、ちり鏝１０は柄部材４を手で掴んだ状態で鏝板材１をコンクリート床面Ｆに沿って摺動させるだけで良いので、取り扱いが容易であり、ちり周りの均し作業を効率良く行うことができる。
【００２４】
前述したように、ちり鏝１０においては、鏝板材１の長さＬを３５０ｍｍとし、幅Ｗは１３０ｍｍとし、厚さＴを０．５ｍｍとし、また、柄部材４の長さを１５００ｍｍとしているが、これらの寸法に限定するものではないので、鏝板材１の長さＬは１５０ｍｍ〜５００ｍｍ程度の範囲内、幅Ｗは１００ｍｍ〜１５０ｍｍ程度の範囲内、厚さＴは０．３ｍｍ〜０．５ｍｍ程度の範囲内、また、柄部材４の長さは８００ｍｍ〜１６００ｍｍ程度の範囲内で任意に設定することができる。
【００２５】
次に、図３，図４に基づいて、本発明の第二実施形態であるちり鏝２０について説明する。なお、図３，図４に示すちり鏝２０において、前述したちり鏝１０と共通する部分については、図１，図２中の符号と同符号を付して説明を省略する。
【００２６】
図３，図４に示すように、ちり鏝２０は、平面視形状が四角形の鏝板材２１と、鏝板材２１の上面２１ａに連結手段３を介して取り付けられた柄部材４と、を備えている。前述したように、連結手段３は、鏝板材２１に対する柄部材４の取り付け姿勢を変更する角度調節機構を有している。
【００２７】
図３に示すように、ちり鏝２０においては、鏝板材２１の長さＬを４００ｍｍとし、幅Ｗを３００ｍｍとし、最大厚さＴを２０ｍｍとし、柄部材４の長さを１２００ｍｍとしている。また、鏝板材２１の対向する一対の辺縁部２１ｃ，２１ｃは何れも滑らかな凸曲面形状をなしている。鏝板材２１の材質は、合成樹脂や防水処理を施した木材などが好適であるが、これらに限定するものではない。
【００２８】
また、図４に示すように、ちり鏝２０においては、鏝板材２１の下面２１ｂに、形状の異なる複数の凹状部２２，２３，２４が散在している。凹状部２２，２３，２４は何れも鏝板材２１の上面２１ａ（図３参照）に向かって凹んだＵ溝形状をなしている。凹状部２２，２３，２４の形状、個数、配置形態などは限定しないので、任意に設定することができる。
【００２９】
ちり鏝２０の使い方は限定しないが、例えば、図３に示すように、固化前のコンクリート床面Ｆの周縁部Ｆ１に持ち込んだちり鏝２０の鏝板材２１の下面２１ｂをコンクリート床面Ｆ上に当接させ、作業者（図示せず）が柄部材４を手で掴んで鏝板材２１をコンクリート床面Ｆに沿って前後左右に動かせば、ちり周り（周縁部Ｆ１）の均し作業を行うことができる。
【００３０】
ちり鏝２０の柄部材４の長さは１５００ｍｍであるため、作業者は、自分の身長に応じて、ちり鏝２０の柄部材４の適切な位置を手で掴むことにより、起立姿勢で均し作業を行うことが可能であり、作業者の肉体的負担を軽減することができる。また、ちり鏝２０は柄部材４を手で掴んだ状態で鏝板材２１をコンクリート床面Ｆに沿って摺動させるだけで良いので、取り扱いが容易であり、ちり周りの均し作業を効率良く行うことができる。
【００３１】
また、ちり鏝２０においては、鏝板材２１の下面２１ｂに、形状の異なる複数の凹状部２２，２３，２４が散在していることにより、鏝板材２１の下面２１ｂをコンクリート床面Ｆに沿って摺動させたとき、凹状部２２，２３，２４によってコンクリート床面Ｆの凹凸が平準化されるため、優れた均し機能を発揮する。
【００３２】
前述したように、ちり鏝２０においては、鏝板材２１の長さＬを４００ｍｍとし、幅Ｗを３００ｍｍとし、最大厚さＴを２０ｍｍとし、また、柄部材４の長さを１５００ｍｍとしているが、これらの寸法に限定するものではないので、鏝板材１の長さＬは３００ｍｍ〜４５０ｍｍ程度の範囲内、幅Ｗは１５０ｍｍ〜４００ｍｍ程度の範囲内、厚さＴは１０ｍｍ〜４０ｍｍ程度の範囲内、また、柄部材４の長さは８００ｍｍ〜１６００ｍｍ程度の範囲で任意に設定することができる。
【００３３】
なお、図１〜図４に基づいて説明したちり鏝１０，２０は、本発明に係るちり鏝を例示するものであり、本発明に係るちり鏝は前述したちり鏝１０，２０に限定されない。
【産業上の利用可能性】
【００３４】
本発明に係るちり鏝は、固化前のコンクリート床面のちり周りの均し作業を行う際の作業器具として、土木建築業、土木建設業などの産業分野において広く利用することができる。
【符号の説明】
【００３５】
１，２１  鏝板材
１ａ，２１ａ  上面
２  補強部材
３  連結手段
３ａ  台座部
３ｂ  回動部材
３ｃ  起伏部材
３ｄ  基端部
４  柄部材
５  連結筒
１０，２０  ちり鏝
２１ｂ  下面
Ｆ  コンクリート床面
Ｆ１  周縁部
【図１】
2020159108.tif 000003
【図２】
2020159108.tif 000004
【図３】
2020159108.tif 000005
【図４】
2020159108.tif 000006
【図５】
2020159108.tif 000007